(57)【要約】　　　（修正有）【課題】電子機器筐体の操作パネルに設けられる開閉扉において、扉の開閉にかかわらず接地する筐体と開閉扉の金属パネルとの導通を保って、集積回路の静電破壊等の問題発生を防止し、かつ、組立が容易で開閉扉の円滑な動きを阻害することもない電子機器筐体の開閉扉の接地機構を提供する【解決手段】本発明の電子機器筐体の開閉扉の接地機構は、筐体と開閉扉と開閉機構を備え、弾性を有し開閉機構に固定される第１導通部材と、第１導通部材と接触し開閉機構に固定される第２導通部材とを備え、開閉扉の開閉にかかわらず第１導通部材８と該第２導通部材１２が導通を保つことにより、電子機器筐体４と開閉扉３の接地を行う。【選択図】　図２
2004111790.tif 000002
【特許請求の範囲】
【請求項１】
筐体と開閉扉と開閉機構とを備える電子機器筐体の開閉扉の接地機構であって、
弾性を有し該開閉機構に固定される第１導通部材と、
該第１導通部材と接触し該開閉機構に固定される第２導通部材とを備え、
該開閉扉の開閉にかかわらず、該第１導通部材と該第２導通部材とが接触による導通を保つことにより、該電子機器筐体と該開閉扉の接地を行う
電子機器筐体の開閉扉の接地機構。
【請求項２】
前記開閉扉が回動扉であり、前記開閉機構が回動軸部および軸受部を備える回動機構であって、
前記第１導通部材が、該回動軸部の軸方向の端部に位置するように固定され、
前記第２導通部材が、該回動軸部の軸方向に貫通するように固定されている請求項１に記載の電子機器筐体の開閉扉の接地機構。
【請求項３】
前記第１導通部材が、金属板を折曲した金属片からなり、
前記第２導通部材が、金属ネジからなる、
請求項２に記載の電子機器筐体の開閉扉の接地機構。
【請求項４】
前記回動機構が、前記回動軸部および前記軸受部を前記筐体または前記回動扉に取り付ける非導通性の回動軸保持部および軸受保持部を備え、
該回動軸部と該回動軸保持部、および該軸受部と該軸受保持部が、それぞれ一体的に樹脂成形されている、
請求項２および３に記載の電子機器筐体の開閉扉の接地機構。
【発明の詳細な説明】
【０００１】
【発明の属する技術分野】
本発明は、例えば、オーディオ機器等の操作パネルに設けられる回動扉のような、電子機器筐体の開閉扉の接地機構に関する。
【０００２】
【従来の技術】
オーディオ機器等の電子機器において、筐体の前面の操作パネルに設けられる開閉扉は、使用頻度の少ない操作ボタン等を格納するのに用いられ、操作パネルと同一の材料ならびに外観仕上げを有する金属のパネルから構成される。これらの開閉扉には、開閉機構が、スライド機構であるスライド扉や、回動機構である回動扉（または、回転機構である回転扉）等がある。
【０００３】
筐体内の電子回路のグランドと金属部品からなる筐体は、電気的に接続されて接地されている。開閉扉が回動扉である場合には、筐体と回動扉の間には、回動軸部および軸受部からなる回動機構が構成される。回動機構が樹脂等の非導通性の材質で構成されている場合には、金属部品からなる筐体に対して回動扉は接地されないので、金属のパネルは、静電気によって電荷が蓄積されて帯電する。その結果、帯電した回動扉と、操作者の指先や操作パネルとの間で放電を生じた場合には、電子機器の集積回路が静電破壊され、電子機器が動作不良を起こすなどの不都合が発生する。
【０００４】
このような不都合を解決するために、従来から様々な試みがなされている。代表的には、別個に電線を配線し、電線の一端を接地する筐体に、他端を金属パネルの一部に接続することにより、開閉扉の金属のパネルを接地している。
【０００５】
その他には、開閉扉の閉塞時に扉を固定するロック機構において接地機構を設け、開閉扉の閉塞時に金属のパネルに蓄積されていた電荷を接地する筐体に放出し、上記のような不都合を回避している（特許文献１および２参照）。
【０００６】
【特許文献１】
実開昭５９−３６１７４号公報　（第５頁、第２図）
【特許文献２】
実開平４−２０２７０号公報　（第３−４頁、第１図）
【０００７】
しかし、上記の別個に電線を配線する方法では、電線の整形、固定方法によっては開閉扉の円滑な動きを阻害するといった問題が生じる。また、別個に配線を行う結果、組立作業上の工数がかかりコストアップするなどの問題がある。また、上記のロック機構において接地機構を設ける方法においても、開閉扉が開放された状態では、開閉扉の金属パネルが接地されずに帯電したままになり、集積回路の静電破壊を生じる原因になるという問題がある。加えて、ロック機構が複雑化するとともに部品点数が増加する等の問題がある。
【０００８】
【発明が解決しようとする課題】
本発明は、上記の従来の技術が有する問題を解決するためになされたものであり、その目的は、電子機器筐体の操作パネルに設けられる開閉扉において、扉の開閉にかかわらず接地する筐体と開閉扉の金属パネルとの導通を保って、上記集積回路の静電破壊等の問題発生を防止し、かつ、組立が容易で開閉扉の円滑な動きを阻害することのない電子機器筐体の開閉扉の接地機構を提供することにある。
【０００９】
【課題を解決するための手段】
上記の課題を解決するため、本発明では、次の技術的手段を講じている。
【００１０】
本発明によれば、本発明の電子機器筐体の開閉扉の接地機構は、筐体と開閉扉と開閉機構とを備え、弾性を有し開閉機構に固定される第１導通部材と、第１導通部材と接触し開閉機構に固定される第２導通部材とを備え、開閉扉の開閉にかかわらず、第１導通部材と第２導通部材とが接触による導通を保つことにより、電子機器筐体と該開閉扉の接地を行う。
【００１１】
好ましい実施形態においては、本発明の電子機器筐体の開閉扉の接地機構は、上記の開閉扉が回動扉であり、上記の開閉機構が回動軸部および軸受部を備える回動機構であって、第１導通部材が回動軸部の軸方向の端部に位置するように固定され、第２導通部材が回動軸部の軸方向に貫通するように固定されている。
【００１２】
さらに好ましい実施形態においては、本発明の電子機器筐体の開閉扉の接地機構は、第１導通部材が金属板を折曲した金属片からなり、第２導通部材が金属ネジからなる。
【００１３】
さらに好ましい実施形態においては、本発明の電子機器筐体の開閉扉の接地機構は、上記の回動機構が、回動軸部および軸受部を筐体または回動扉に取り付ける非導通性の回動軸保持部および軸受保持部を備え、回動軸部と回動軸保持部、および軸受部と軸受保持部が、それぞれ一体的に樹脂成形されている。
【００１４】
以下、本発明の作用について説明する。
【００１５】
本発明の電子機器筐体の開閉扉の接地機構は、筐体と開閉扉と開閉機構を備える電子機器筐体の開閉扉の接地機構であって、弾性を有し該開閉機構に固定される第１導通部材と、第１導通部材と接触し開閉機構に固定される第２導通部材とを備え、開閉扉の開閉にかかわらず、第１導通部材と第２導通部材が導通を保つことにより、電子機器筐体と開閉扉の接地を行う。従って、開閉扉の金属パネルは、開閉扉の状態によらずに帯電しないので、集積回路の静電破壊等の問題を発生しない。
【００１６】
代表的には、本発明の電子機器筐体の開閉扉の接地機構は、上記の開閉扉が回動扉であり、開閉機構が回動軸部および軸受部を備える回動機構であって、第１導通部材が回動軸部の軸方向の端部に位置するように固定され、第２導通部材が回動軸部の軸方向に貫通するように固定される。従って、回動扉の回動にかかわらず、第１導通部材と第２導通部材が導通を保つことにより、電子機器筐体と回動扉の接地を行うことができる。
【００１７】
上記の本発明の回動扉の場合において、第１導通部材は、金属板を折曲した金属片からなり、第２導通部材は、金属ネジからなる。加えて、回動機構が、回動軸部および軸受部を筐体または回動扉に取り付ける非導通性の回動軸保持部および軸受保持部を備え、回動軸部と回動軸保持部、および軸受部と軸受保持部が、それぞれ一体的に樹脂成形される。従って、本発明の電子機器筐体の開閉扉の接地機構は、従来の回動扉の開閉機構に加える変更ならびにコストアップを最小限に抑えることができる。
【００１８】
さらに、本発明の電子機器筐体の回動扉の接地機構においては、上記の軸受保持部の所定位置に金属片を取り付け、かつ、回動軸部の所定位置に金属ネジをねじ込むことにより、金属片と回動扉の金属パネルまたは筐体との導通、ならびに金属ネジと回動扉の金属パネルまたは筐体との導通、ならびに金属片と金属ネジとの導通が保たれる。所定の位置にねじ込まれた金属ネジの先端は、金属片の弾性により、回動扉の回動にかかわらず金属片と接触する。金属片と金属ネジは、極めて小さい面積で接触し、さらに、金属片と金属ネジが接触する位置が回動扉の回動軸の直径よりも内部にあるので、回動扉の回動の動きに実質的に影響を与えない。従って、本発明によれば、回動扉の円滑な動きを阻害することなく開閉扉の接地を実現することができる。
【００１９】
【発明の実施の形態】
以下、本発明の好ましい実施形態による電子機器筐体の開閉扉の接地機構について説明するが、本発明はこれらの実施形態には限定されない。特に好ましい実施形態であるオーディオ機器等の一例として、増幅器の操作パネルに設けられる回動扉の接地機構について説明する。
【００２０】
図１（ａ）は、増幅器１の前面の操作パネル２に設けられた回動扉３が閉じた状態を示す外観斜視図、図１（ｂ）は、回動扉３が開いた状態を示す外観斜視図である。増幅器１の操作パネル２は、金属部品からなる筐体４の前面に取り付けられている。操作パネル２には、電源スイッチやボリューム等の主要な操作ボタンを含めて、各種の操作ボタン等が配置される。操作パネル２の下部には、録音セレクター等の使用頻度の少ない操作ボタンが備えられる。回動扉３は、開いた場合にのみこれら使用頻度の少ない操作ボタンを使用できるようにし、閉じた場合にはこれらの操作ボタンを格納して操作パネル２と一体感のある外観をなすように、操作パネル２と同様の外観を有する金属パネルを備えている。回動扉３と筐体４の間には、回動扉３の両側２カ所に、回動軸部および軸受部からなる回動機構が構成される。その結果、回動扉３が閉じた場合には、操作パネル２と回動扉３の間には、スキマ１３が規定される。なお、筐体４の内に配置される電子回路のグランドと、操作パネル２および金属部品からなる筐体４は、電気的に接続されて接地されている。
【００２１】
図２は、他の好ましい実施形態における本発明の回動扉３の回動機構の一方について説明する部分拡大断面図である。さらに、図３、図４は、図２の回動機構についての部分断面図であり、それぞれ、（ａ）は矢印方向から断面Ａ−Ａ’を見た部分断面図、（ｂ）は矢印方向から断面Ｂ−Ｂ’を見た部分断面図である。図３は、回動扉３が閉じた状態を示し、図４は、回動扉３が開いた状態を示す。本発明の好ましい実施形態における上記の回動機構について、具体的に以下に説明する。
【００２２】
図２から図４に示す本発明の回動機構において、回動軸部５および軸受部６は、回動軸保持部５０および軸受保持部６０によってそれぞれ位置が定められる。この場合、回動軸部５と回動軸保持部５０、軸受部６と軸受保持部６０は、それぞれ樹脂材料により一体的に成形されている。回動軸部５は筒状の凸軸であり、軸受部６は回動軸の直径よりも若干大きい丸貫通穴である。軸受保持部６０は、回動扉３の両側２カ所に取り付けられ、回動軸保持部５０は、筐体４の前面において回動扉３の両側２カ所に対応する位置に取り付けられる。その結果、回動軸部５が、軸受部６に相対的に回動自在に収容され、回動機構が構成される。従って、回動扉３は、回動軸部５を中心に回動して開閉をすることができる。
【００２３】
回動扉３は、さらに具体的には、金属パネル７の両端に上記の軸受保持部６０が取り付けられて構成されている。回動扉３の金属パネル７は、押出加工された押出部材を切断して形成され、その材料は、代表的にはアルミニウムである。軸受部６と軸受保持部６０は、ネジ６１によって回動扉３に取り付けられ、回動扉３とともに回動する。一方、回動軸部５および回動軸保持部５０は、ネジ５１によって筐体４に取り付けられて固定されているので、回動しない。
【００２４】
回動扉３が閉じられる角度および最も大きく開かれる角度は、回動軸保持部５０と軸受保持部６０に回動扉３の開閉それぞれの係止角度を定める係止部を設け、これらの係止部が相互に係止することで調整される。図３（ａ）において、回動扉３が閉じられる角度は、係止部５２および係止部６２により定まる。同様に、図４（ａ）において、回動扉３が最も大きく開かれる角度は、係止部５３および係止部６３により定まる。回動扉３が開閉それぞれの係止角度を定め、開閉それぞれの状態を保つために、さらに別個のロック機構などの係止手段を回動機構に設けてもよい。さらに、回動扉３の回動速度を適切に調整するために、任意のギアダンパー等の速度調整手段を設けてもよい。
【００２５】
図５は、図２に示した回動機構の一部を拡大した部分拡大図である。本発明においては、金属パネル７に取り付けられた軸受保持部６０には、所定位置に第１導通部材が設けられる。具体的には、第１導通部材は、金属板を折曲した金属片８であり、弾性を有し、Ｌ字型に折曲げ加工されている。この弾性により、Ｌ字の一端を固定して他端に力を加えると、金属片８は変形が可能である。金属片８の一端は、後述する第２導通部材と接触するように平面状に加工され、また、他端は、軸受保持部６０に取り付け可能な形状に加工される。この金属片８は、図５（ａ）に示すように、その一端が回動軸部５の軸方向の端部であって軸方向に弾性変化が可能な位置に配置される。そのために、上記の取り付け可能に加工された他端が軸受保持部６０の所定位置に金属ネジ６１によって取り付けられる。従って、軸受保持部６０が回動扉３とともに回動するのに伴って、軸受保持部６０の所定位置に取り付けられた金属片８の上記の一端は、回動扉３の回動に関わらず、回動軸部５の軸方向の端部に絶えず位置する。
【００２６】
一方、回動軸部５は、筒状の凸軸であり、筒の所定位置に第２導通部材が設けられる。具体的には、第２導通部材は、金属ネジ１２であり、回動軸部５の筒の所定位置にねじ込まれる。図５（ｂ）に示すように、所定の長さの金属ネジ１２は、回動軸部５の所定の位置にねじ込まれることによりその先端が回動軸部５から突出し、上記の金属片８の一端と接触する。金属片８は、上記の通り弾性を有しているので、回動扉３の回動に関わらず金属ネジ１２と絶えず接触を保つことができる。金属片８および金属ネジ１２は、導通性を有するので、その結果、金属片８と金属ネジ１２の間は、回動扉３の回動に関わらず導通が保たれる。
【００２７】
金属ネジ１２は、回動軸部５にねじ込まれる際に、電線１０の一端に接続されたラグ９を、同時に回動軸部５に固定する。電線１０の他端には、さらにラグ９が接続され、このラグ９は、筐体４または金属の操作パネル２にネジ１１によって固定される。従って、金属ネジ１２と筐体４または金属の操作パネル２は、導通を得ることができる。
【００２８】
さらに、金属片８と金属パネル７の間についても、導通を得ることができる。具体的には、金属片８を軸受保持部６０に固定する際に、金属ネジ６１をもって金属パネル７と金属片８を共締めする。他にも、上記と同様に、電線１０の一端のラグ９をネジに通し、このネジによって金属片８を軸受保持部６０に固定してもよい。この場合、電線１０の他端のラグ９は、金属パネル７に他のネジによって固定すればよい。
【００２９】
この結果、金属パネル７は、金属部品からなる筐体４と電気的に接続され、回動扉３の回動にかかわらず、導通を保つことができる。従って、本発明の電子機器筐体の開閉扉の接地機構は、回動軸部５および軸受部６からなる回動機構が上記の通り樹脂材料で構成されていても、金属パネル７と接地された筐体４が導通を保つことにより、回動扉３の金属パネル７に電荷が蓄積することがない。その結果、本発明の電子機器は、集積回路の静電破壊等の問題を発生しない。
【００３０】
加えて、本発明の開閉扉の接地機構は、従来の開閉扉の開閉機構に加える変更ならびにコストアップを最小限に抑えることができる。すなわち、本発明の開閉扉の接地機構は、第１導通部材および第２導通部材として金属片８および金属ネジ１２を新たに加えるのみであるので、変更に伴うコストアップが少ないという利点を有する。特に、金属片８は、所定の厚みと長さと幅を有する金属片をＬ字型に折曲げ加工し、上記の金属片８の一端に弾性を持たせ、一端を固定可能に加工したもので足り、また、金属ネジ１２についても、樹脂により成形される回動軸部５にねじ込む所定の長さを有する汎用の金属タッピングネジ等でよいため、極めて入手しやすく、設計上の自由度も高くなる。従って、本発明は、極めて容易に実現できるという利点がある。もちろん、第１導通部材および第２導通部材は、上記の金属片および金属ネジに限られるものではない。
【００３１】
さらに、本発明の開閉扉の接地機構は、開閉扉の円滑な動きを阻害することのない開閉扉の接地を実現することができる。回動軸部５にねじ込まれた金属ネジ１２は、回動扉３の回動に関わらず金属片８の一端と絶えず接触を保つが、回動を妨げる抵抗力として働く接触による摩擦力は、極めて小さい。なぜなら、金属ネジ１２と金属片８の一端が接触する面積は極めて小さく、加えて、接触する位置が回動扉３の回動の中心点に極めて近いため、接触による摩擦力よりも回動扉３の回動に伴う力の方が遙かに大きいからである。従って、実質的に回動扉の動きに対する影響をほぼ無視することができるので、ギアダンパー等の他の回動速度を適切に調整する手段によって回動の速度を調整することができる。さらに、金属ネジ１２は回動軸部５にねじ込まれて固定されているので、回動扉３の回動にともなって回動することがない。従って、電子機器の使用に伴って金属ネジ１２が緩むこともなく、安定して使用することができる。
【００３２】
加えて、本発明の接地機構は、回動扉３のガタツキを防止し、さらに、操作パネル２と回動扉３の間に規定されるスキマ１３のうち、回動扉３の両側左右に規定されるスキマを均一にすることができる。本発明の回動機構においては、回動扉３が回動するうえで、左右方向への適度なあそびが設けられる。本発明の金属片８は弾性を有しているので、金属片８は接触する金属ネジ１２を常に片側へ押し、その結果、図２の場合においては、回動扉３には常に左側へ押される力が加わる。図２に図示されていない他方の回動機構においても、軸受部に回動軸部が回動自在に収容されているので、上記の力は、他方の回動機構の回転軸部と軸受部を押しつけるように働く。従って、回動扉３は、他方の回転機構の回転軸部と軸受部によって規定する寸法で位置することとなり、左右方向へのガタツキが減少し、回動をさらに円滑にすることができる。さらに、本発明では、適切に回動扉３及び回動機構を設計することにより、回動扉３の左右の位置を調整できるので、回動扉３の両側左右に生じるスキマを均等にすることができる。これら左右のスキマが均等になることによって、本発明の電子機器筐体１は、回動扉３が閉じられた場合の美的外観を向上させることができる。
【００３３】
本発明の接地機構は、回動扉３の両側に設けられる回動機構のうち、少なくとも一方に設けられていればよい。また、回動扉３が、金属パネル７の他に帯電する複数の材料の構成部品から構成されている場合にも、それらの構成部品について別個に電線を配線するなどして金属片８に導通させる処理を行うことにより、集積回路の静電破壊等を防止することができる。
【００３４】
また、上記の実施形態においては、軸受部６および軸受保持部６０は回動扉３に取り付けられ、回動軸部５および回動軸保持部５０は操作パネル２に取り付けられているが、本発明はこれらの実施形態には限定されない。回動扉３に回動軸部５および回動軸保持部５０を取り付け、操作パネル２に軸受部６および軸受保持部６０を取り付けてもよい。
【００３５】
また、上記の実施形態においては、本発明の開閉扉を回動扉とし、開閉機構を回動機構とした場合を説明したが、本発明はこれらの実施形態には限定されない。開閉扉がスライド機構によるスライド扉であっても、非導通性の材料からなる開閉機構と、弾性を有し該開閉機構に固定される第１導通部材と、第１導通部材と接触し開閉機構に固定される第２導通部材とを備え、開閉にともなって第１導通部材と第２導通部材とが接触による導通を保てばよい。
【００３６】
【発明の効果】
本発明の電子機器筐体の開閉扉の接地機構は、開閉扉の開閉にかかわらず接地された筐体と開閉扉の金属パネルとの導通を保って、上記集積回路の静電破壊等の問題発生を防止することができる。同時に、組立が容易で開閉扉の円滑な動きを阻害することもない電子機器筐体の開閉扉の接地機構が実現される。
【図面の簡単な説明】
【図１】本発明の好ましい実施形態について説明する図である。
【図２】本発明の好ましい実施形態について説明する部分拡大断面図である。
【図３】本発明の好ましい実施形態において、開閉扉が閉じた状態を、断面Ａ−Ａ’および断面Ｂ−Ｂ’で見た部分断面図である。
【図４】本発明の好ましい実施形態において、開閉扉が開いた状態を、断面Ａ−Ａ’および断面Ｂ−Ｂ’で見た部分断面図である。
【図５】本発明の好ましい実施形態について説明する部分拡大正面図である。
【符号の説明】
１　　　増幅器
２　　　操作パネル
３　　　開閉扉
４　　　筐体
５　　　回動軸
６　　　軸受
７　　　金属パネル
８　　　金属片
９　　　ラグ
１０　　電線
１１　　金属ネジ
１２　　金属ネジ
１３　　スキマ
５０　　回動軸保持部
５１　　ネジ
５２　　係止部
５３　　係止部
６０　　軸受保持部
６１　　ネジ
６２　　係止部
６３　　係止部
【図１】
2004111790.tif 000003
【図２】
2004111790.tif 000004
【図３】
2004111790.tif 000005
【図４】
2004111790.tif 000006
【図５】
2004111790.tif 000007